(57)【要約】【課題】訴求力の強い「広告宣伝用動画・静止画等表示装置」を提供する。【解決手段】店頭宣伝用看板や黒板等の任意の場所を１カ所以上くり抜き、静止画、動画、ポスター等、広告宣伝物を表示できるよう、液晶ディスプレイやフォトフレーム、無線設備や蓄電池を設けたパソコン等の表示装置を設備し、静止画像やムービーファイル、プレゼンテーション等、記録媒体に蓄えた或いはアップロード、ダウンロードしたデータを、液晶ディスプレイに組み込まれた再生プログラムを選択利用し、記録メディアに保存やコピー、アップロード或いはダウンロードされたデータと、黒板を始めとした各種ボードに手書き文字やメニュー等とマッチする静止画像、動画像、音声等を組合せ繰り返し表示する。【選択図】図１
2010002828.tif 000002
【特許請求の範囲】
【請求項１】
「広告宣伝用動画・静止画等表示装置」において、少なくともその一部分以上くり抜かれた板（看板、黒板、掲示板等）に液晶ディスプレイを設置し、ＦＤ、ＣＤＲＯＭ、ＤＶＤ等の各種記録媒体や各種記録装置に登録した静止画、動画を選択して表示し、その映像表示内容と看板や黒板に手書きや印刷物等の貼り付けてある内容とを連携して表示させ、訴求力を増強する事を特徴とする。
【請求項２】
「広告宣伝用動画・静止画等表示装置」の形態として、商品宣伝掲示型、メニュー・パンフレット掲示型、アンケート掲示型等、ＰＲ及びアナウンスしたい内容を「広告宣伝用動画・静止画等表示装置」において、少なくともその一部分以上をくり抜き、静止画、動画を表示できる液晶ディスプレイを納める収納箱及びこの掲示台の収納台部分を分離して利用することができ、一体化若しくは脱着を容易に可能としその使用用途の選択肢を増やし、且つメニューやパンフレットの表示内容と静止画，動画の表示内容とを連携させ表示する。更に静止画、動画には看板、黒板等に手書きや貼り付けされた内容に沿った文字を入力する事が可能で訴求力を増強する事を特徴とする。
【発明の詳細な説明】
【技術分野】
【０００１】
デジタル映像と手書きのアナログ情報を連携して表示する為に必要なデータ制作技術    及び映像選択システムの組込・設計・制御及びその製造技術、基礎入力プログラム関連技術。
【背景技術】
【０００２】
店頭用宣伝では、従来食品模型等を並べたショーケースや、手書き文字が書き込み可    能な黒板やメニューやパンフレットを掲示や貼り付けする掲示台などがあり、一般的    に広く使用されています。
【発明の開示】
【発明が解決しようとする課題】
【０００３】
この手書き文字用黒板やメニュー掲示台は、手作り感覚と高級感は充分アピールでき    るものの、訴求力が充分ではありませんでした。しかし、食品模型の入ったショーケースを設置すると、手書き文字黒板の持つ手作り感覚やメニュー掲示台の持つ高級感は無くなってしまうと言う課題がありました。また、店頭設置を主目的としているため、通りすがりの顧客にしかアピールできないという課題があり、メニュー掲示台には、メニューやパンフレットを掲示するのみで、直接的な訴求力を上げる手立てがありませんでした。更に、パソコンが苦手な方の画像編集や映像を制作することが困難で、制作には外部委託により莫大な費用を掛けるほかありませんでした。
【課題を解決するための手段】
【０００４】
この手書き黒板やメニュー掲示台の訴求力不足を補い増強するため動画、静止画、音    声、などを付加できるよう「液晶ディスプレイ付手書き黒板型店頭表示装置」、「液晶メニュー掲示台店等表示装置」、「液晶ディスプレイ付メニュー掲示台型店頭表示装置」を設置し、あらかじめ個々の店頭表示装置毎に静止画、動画を作成し、ＦＤ、ＣＤＲＯＭ、ＤＶＤ、その他記憶メディアにコピーし表示装置の制御プログラムを稼働させ表示する事で、手作り感覚や高級感を失わないよう、訴求力不足を補い、且つ店頭訪問顧客のみならず、通りすがりの顧客にもアピールする事を特徴とする。更に、携帯電話のカメラやデジタルカメラで撮影、加工した画像ファイルを記録メディア等に保存し、液晶ディスプレイにメディアをセットすることにより、登録されている画像をスライドショーやムービーとして表示することが可能になります。パソコンが苦手な方でも画像を加工編集することができ、誰もがＰＲ映像を作成することが可能になります。［広告宣伝用動画・静止画等表示装置」を構築する事でこれらの課題を解決する。
【発明の効果】
【０００５】
「広告宣伝用動画・静止画等表示装置」を店頭宣伝に利用すれば、手書き文字の持つ手作り感覚やメニューのみを表示するという高級感や上品さを犠牲にせず、タイムリーで且つ訴求力ある店頭宣伝を展開する事ができ、プラスチックの食品模型の入ったショーケースを設置する事を良しとしない中高級レストランに最適な物である。手書き文字、或いはメニューやパンフレットの表示内容に合わせ連携表示し、訴求力を増強できる。店頭の訪問顧客のみならず、通りすがりの顧客にもアピールする事ができるため、一石何鳥もの効果が期待できる。また、「広告宣伝用動画・静止画等表示装置」に接続されたデジタルカメラ等、データを管理目的などに使用する事も可能である。ＦＤ、ＣＤＲＯＭ、ＤＶＤ、その他記憶メディアを利用し、表示装置をコントロールできる事は言うまでもない。本発明では、液晶、液晶ディスプレイと説明しているがフォトフレームやプラズマディスプレイ、ＬＥＤディスプレイ等のフラットディスプレイでも応用できる。更にパソコン、ノートパソコンの利用もさるころながら、ＰＤＡ、携帯電話など液晶ディスプレイが搭載された装置であれば全て利用、応用可能である。更に静止画、動画は、電子データであるため、加工・制作・保存・廃棄等の管理が容易で、制作管理費用を削減することが可能となります。
【発明を実施するための最良の形態】
【０００６】
図１の「液晶ディスプレイ付手書き黒板型表示装置正面図」の２「液晶ディスプレイ部」等、黒板部１の任意の位置に液晶ディスプレイ部分が前面から見えるよう、一部をくり抜き、図２「ディスプレイ表示用開口部付黒板正面図」で開口部３を作り、液晶ディスプレイを取付後、動画や静止画が見られるようにしてある。
【０００７】
図３は「液晶ディスプレイ装置正面図」であり、４は「液晶ディスプレイ部」、５はフレーム部である。図４は「液晶ディスプレイ右側面図」であり、６は各種記憶メディア装置スロットを装備し、７にスピーカーを要し音声を流す事も可能です。図５は「液晶ディスプレイ左側面図」であり、８は、選択や音量等の設定ボタンです。９は電源ボタンとなります。図６、図７は、黒板に液晶ディスプレイを設置した時の左右側面図になります。図８は「液晶ディスプレイ付手書き黒板型表示装置裏面図」になります。
【図面の簡単な説明】
【０００８】
【図１】液晶ディスプレイ付手書き黒板型表示装置正面図
【図２】液晶ディスプレイ取付用開口部付黒板正面図
【図３】液晶ディスプレイ及びフォトフレーム正面図
【図４】液晶ディスプレイ及びフォトフレーム右側面図
【図５】液晶ディスプレイ及びフォトフレーム左側面図
【図６】液晶ディスプレイ設置黒板右側面図
【図７】液晶ディスプレイ設置黒板左側面図
【図８】液晶ディスプレイ付手書き黒板型表示装置裏面図
【符号の説明】
【０００９】
１・・・黒板部
２・・・液晶ディスプレイ黒板組込時液晶ディスプレイ部
３・・・ディスプレイ表示用開口部
４・・・液晶ディスプレイ及びディスプレイ映像表示部
５・・・フレーム部
６・・・各種記憶メディア装置スロット部
７・・・スピーカー部
８・・・選択、音量等の各種設定ボタン
９・・・電源ボタン
【図１】
2010002828.tif 000003
【図２】
2010002828.tif 000004
【図３】
2010002828.tif 000005
【図４】
2010002828.tif 000006
【図５】
2010002828.tif 000007
【図６】
2010002828.tif 000008
【図７】
2010002828.tif 000009
【図８】
2010002828.tif 000010